(57)【要約】      （修正有）【課題】細線化された導体部分であっても、確実な機械接続性及び電気接続性を得ることができる圧着端子およびその設計方法を提供する。【解決手段】被覆電線１００の導体１０２を圧着するワイヤーバレル部１０を有する圧着端子１であって、引張り強度がワイヤーバレル部１０を構成する純銅製板材の引張り強度以上、または６００ＭＰａ以上である素線１０２ａを７本束ね、断面積Ｓが０．０６６ｍｍ２に形成した導体１０２を圧着するワイヤーバレル部１０のクリンプ幅Ｗを、圧着状態において、素線１０２ａが圧着方向Ｚの略２段状の安定圧着配置となるように、以下の数式（１）2009245698.tif 000007（ただし、Ｗ：クリンプ幅、Ｓ：導体部分の断面積、ｎ：素線の本数、ｔ：圧着前のワイヤーバレル片１２の厚み）を満足する幅に設定した。【選択図】図１
2009245698.tif 000002
【特許請求の範囲】
【請求項１】
被覆電線の導体部分を載置する圧着底面と、該圧着底面の幅方向両側から延出する圧着片とで構成し、前記導体部分を圧着する圧着部を有する圧着端子であって、
引張り強度が、前記圧着部を構成する部材の引張り強度以上、または６００ＭＰａ以上である素線を３乃至９本束ね、断面積が０．６ｍｍ２以下に形成した前記導体部分を圧着する前記圧着部のクリンプ幅を、
圧着状態において、前記素線が、前記圧着片が前記導体部分を圧着する圧着方向に略２段状の安定圧着配置となる安定圧着幅に形成した
圧着端子。
【請求項２】
前記安定圧着幅を、以下の数式（１）
【数１】
2009245698.tif 000006
（ただし、Ｗ：クリンプ幅、Ｓ：導体部分の断面積、ｎ：素線の本数、ｔ：圧着前の圧着片厚）
を満足する幅に設定した
請求項１に記載の圧着端子。
【発明の詳細な説明】
【技術分野】
【０００１】
この発明は、例えば、被覆電線の導体部分に圧着して、被覆電線の先端に装着する圧着端子に関する。
【背景技術】
【０００２】
従来から、被覆電線の先端に装着する端子金具として、被覆をはがした導体部分を圧着する圧着部を備えた圧着端子が多く用いられている。  
詳しくは、圧着端子は、長手方向の先端側に配置した端子接続部と、被覆電線の導体部分を圧着する長手方向の基端側に配置した圧着部とで構成するとともに、該圧着部を、前記導体部分を載置する圧着底面と、該圧着底面の幅方向両側から延出するワイヤーバレルと呼ばれる圧着片とで構成している。
【０００３】
上記構成で構成された圧着端子は、圧着底面に載置した導体部分を圧着片で圧着することによって、端子接続部と導体部分とを電気的かつ機械的に接続することができる。
【０００４】
しかし、このような圧着端子と導体部分との接続において、圧着片による圧着が弱いと導体部分との電気的接続における電気抵抗が増大し、逆に、圧着片による圧着が強いと、導体部分の強度が低下し、使用上必要な強度以下の荷重で破断する惧れがあった。
【０００５】
そこで、圧着部と導体部分との間に別部材である圧着部材を介在させて圧着することによって導体部分が破断するような強い圧着を行わずとも、接触面積を拡大させ、電気抵抗を小さくすることのできる圧着方法が提案されており（特許文献１参照）、この圧着方法を用いることによって、良好な電気的接続及び機械的接続を両立することはできる。
【０００６】
しかし、近年の電子機器の軽量化、小型化に応じた電線の細線化が図られており、細線化された導体部分を圧着端子に圧着する際、別部材で構成する圧着部材を介在させることは困難であった。
【０００７】
さらにまた、細線化された導体部分は、強度を確保するために、合金化などにより引張り強度の高い素線を用いることが多く、たとえば、圧着部を構成する部材より導体部分の引張り強度が高くなる場合等においては、従来の圧着技術では安定して圧着させることが困難であった。
【特許文献１】特開２００５−３０２４７５号公報
【発明の開示】
【発明が解決しようとする課題】
【０００８】
この発明は、細線化された導体部分であっても、確実な機械接続性及び電気接続性を得ることができる圧着端子およびその設計方法を提供することを目的とする。
【課題を解決するための手段】
【０００９】
この発明は、被覆電線の導体部分を載置する圧着底面と、該圧着底面の幅方向両側から延出する圧着片とで構成し、前記導体部分を圧着する圧着部を有する圧着端子であって、引張り強度が、前記圧着部を構成する部材の引張り強度以上、または６００ＭＰａ以上である素線を３乃至９本束ね、断面積が０．６ｍｍ２以下に形成した前記導体部分を圧着する前記圧着部のクリンプ幅を、圧着状態において、前記素線が、前記圧着片が前記導体部分を圧着する圧着方向に略２段状の安定圧着配置となる安定圧着幅に形成したことを特徴とする。
【００１０】
この発明の態様として、前記安定圧着幅を、以下の数式（１）
【００１１】
【数１】
2009245698.tif 000003
（ただし、Ｗ：クリンプ幅、Ｓ：導体部分の断面積、ｎ：素線の本数、ｔ：圧着前の圧着片厚）を満足する幅に設定することができる。
【００１２】
上記被覆電線は、銅合金、アルミニウム合金等の導電性が高く、引張り強度の高い複数の素線で構成された導体部分を絶縁性被覆体で被覆する被覆電線であることを含む。
【００１３】
上記圧着部は、圧着底面と、圧着底面の幅方向両側に配置されたいわゆるバレル片と呼ばれる圧着片とを備え、圧着前の状態で背面視略Ｕ型のオープンバレル形式のワイヤーバレルであることを含む。
【００１４】
上記圧着端子は、上記圧着部と、雌型コネクタＢＯＸ、雄型コネクタＢＯＸ、あるいはねじ挿通孔等の端子接続部とを備えた接続端子や、圧着部のみで構成する接続端子であることを含む。
【００１５】
上記クリンプ幅は、いわゆるクリンプワイドと呼ばれる圧着状態の圧着部の幅方向の外形の長さ、すなわち圧着底面部分の横幅をいう。  
上記圧着部を構成する部材は、純銅、または、黄銅やコルソン系銅合金等の銅合金であることを含む。
【００１６】
上記圧着片による前記導体部分の圧着方向は、圧着アプリケータのクリンパによって圧着片が導体部分を圧着底面に圧着する方向であり、幅方向に対して略直交する高さ方向をいう。
【００１７】
略２段状は、導体部分を構成する複数本の素線が圧着方向に２段状に重なった状態をいい、詳しくは、並びに乱れはあるものの多くの素線が２段状となっている状態であることを含む。
【００１８】
このように、被覆電線の導体部分を載置する圧着底面と、該圧着底面の幅方向両側から延出する圧着片とで構成し、前記導体部分を圧着する圧着部を有する圧着端子において、引張り強度が、前記圧着部を構成する部材の引張り強度以上、または６００ＭＰａ以上である素線を３乃至９本束ね、断面積が０．６ｍｍ２以下に形成した前記導体部分を圧着する前記圧着部のクリンプ幅を、圧着状態において、前記素線が、前記圧着片が前記導体部分を圧着する圧着方向に略２段状の安定圧着配置となる安定圧着幅に形成することによって、被覆電線の細線化により、引張り強度が高い素線を、複数本束ねて構成した導体部分であっても、安定した圧着状態で接続することができる。
【００１９】
詳しくは、圧着状態の圧着部内部において、導体部分を構成する素線が圧着方向に２段状となり、圧着する圧着片や圧着底部との間に隙間がなく、素線と圧着部との接触面積の多い安定した状態で圧着することができる。したがって、高い機械接続性及び高い電気接続性を両立できる接続状態を構成することができる。
【００２０】
なお、断面積が０．１２ｍｍ２以下である導体部分を用いると、より高い効果を得ることができ、より望ましい。さらにまた、６〜９本の素線で構成された導体部分の場合、細径の導体部分として屈曲性が確保でき、より望ましい。
【００２１】
また、前記安定圧着幅を、上記数式（１）を満足する幅に設定することによって、導体部分の断面積、導体部分を構成する素線の本数、圧着部を構成する部材厚に応じたクランプ幅を設定でき、画一的な略２段状の安定圧着状態を容易に実現することができる。したがって、上記数式（１）で求めたクリンプ幅で形成された接続端子は、安定した機械接続性及び電気接続性を実現することができ、接続信頼性を向上することができる。
【発明の効果】
【００２２】
この発明によれば、細線化された導体部分であっても、確実な機械接続性及び電気接続性を得ることができる圧着端子およびその設計方法を得ることができる。
【発明を実施するための最良の形態】
【００２３】
この発明の一実施形態を以下図面と共に説明する。  
なお、図１は斜視図による圧着端子１の説明図を示し、図２はワイヤーバレル部１０の圧着方法を説明する説明図を示し、図３はワイヤーバレル部１０の幅方向断面図による説明図を示し、図４は不安定圧着状態のワイヤーバレル部１０の幅方向断面図による説明図を示している。
【００２４】
被覆電線１００の導体１０２を載置するバレル底部１１と、バレル底部１１の幅方向Ｙの両側から延出するワイヤーバレル片１２とで構成し、導体１０２を圧着するワイヤーバレル部１０を有する圧着端子１のワイヤーバレル部１０のクリンプ幅Ｗを、圧着状態において、素線１０２ａが、ワイヤーバレル片１２によって導体１０２が圧着される圧着方向Ｚの略２段状の安定圧着配置となる安定圧着幅で形成している。
【００２５】
なお、ワイヤーバレル部１０のクリンプ幅Ｗを構成する安定圧着幅は、以下の数式（１）
【００２６】
【数２】
2009245698.tif 000004
を満足する幅に設定されている。  
なお、上記数式（１）において、Ｗはクリンプ幅を示し、Ｓは導体１０２の断面積を示し、ｎは素線１０２ａの本数を示し、ｔは圧着前のワイヤーバレル片１２の厚みを示している。
【００２７】
なお、導体１０２は、引張り強度がワイヤーバレル部１０を構成するコルソン系銅合金製の板材の引張り強度以上であり、６００ＭＰａ以上である１０００ＭＰａの素線１０２ａを３乃至９本の範囲内である７本束ね、断面積Ｓが０．６ｍｍ２以下となる０．０８ｍｍ２に形成している。
【００２８】
上述した圧着端子１の構成について詳述すると、圧着端子１は、長手方向Ｘの前方から後方に向かって、図示省略する雄型コネクタの挿入を許容するコネクタボックス２と、コネクタボックス２の後方で、所定の長さの第１トランジション１８を介して配置されたワイヤーバレル部１０と、ワイヤーバレル部１０の後方で所定の長さの第２トランジション１９を介して配置されたインシュレーションバレル部１５とを一体に構成している。
【００２９】
なお、ワイヤーバレル部１０は、被覆電線１００の導体１０２をワイヤーバレル片１２でかしめて圧着し、インシュレーションバレル部１５は被覆電線１００の絶縁被覆１０１をインシュレーションバレル片１６でかしめて固定する構成である。
【００３０】
被覆電線１００は、電子機器の近年の小型化、軽量化に伴い、従来のより線と比べて細く、引張り強度の高い、素線１０２ａを７本束ねて、断面積Ｓが０．０８ｍｍ２の導体１０２を形成している。  
なお、素線１０２ａは、引張り強度が圧着端子１を構成するコルソン系銅合金製の板材の引張り強度以上の１０００ＭＰａ、直径ｄが０．１２ｍｍの細径素線である。
【００３１】
圧着端子１は、引張り強度が６００〜７００ＭＰａで、板厚ｔが０．１５〜０．２５ｍｍのコルソン系銅合金製の板材を折り曲げ加工によって立体構成している。コネクタボックス２は、倒位の中空四角柱体で構成され、内部に、長手方向Ｘの後方に折り曲げ、挿入される雄型コネクタに接触する接触片２ａを備えている。
【００３２】
圧着前のワイヤーバレル部１０は、図１（ｂ）に示すように、バレル底部１１と、その幅方向Ｙの両側から斜め外側上方に延出するワイヤーバレル片１２とで構成し、後方視略Ｕ型に形成している。
【００３３】
同様に、圧着前のインシュレーションバレル部１５も、バレル底部１７と、その幅方向両側から斜め外側上方に延出するインシュレーションバレル片１６とで構成し、後方視略Ｕ型に形成している。
【００３４】
このように構成された圧着端子１の圧着前の状態において、図１（ｂ）に示すようにワイヤーバレル部１０と被覆電線１００とを配置し、図２に示す圧着アプリケータ２００で圧着することで図１（ｃ）に示すように、ワイヤーバレル部１０で導体１０２を圧着して、圧着端子１を被覆電線１００に装着することができる。
【００３５】
詳しくは、被覆電線１００の導体１０２がワイヤーバレル部１０の内側となり、絶縁被覆１０１の前端付近がインシュレーションバレル部１５の内側となるように、被覆電線１００を圧着端子１の上方から載置し（図１（ｂ）参照）、図２に示す圧着アプリケータ２００のアンビル２０１にセットする（図２（ａ）参照）。
【００３６】
そして、図２（ｂ）に示すように、ワイヤーバレル部１０の上からクリンパ２０２を降ろして、アンビル２０１とクリンパ２０２とでワイヤーバレル部１０を挟み込んで、図２（ｃ）に示すように、ワイヤーバレル片１２をカールさせる。  
これにより、ワイヤーバレル片１２で導体１０２をバレル底部１１に押圧して、幅方向Ｙに隣接する二山状の圧着状態を構成することができる（図３参照）。
【００３７】
なお、このワイヤーバレル部１０は、上記圧着状態において、クリンプ幅Ｗが上記の数式（１）を満足するよう設定されている。  
これにより、導体１０２を構成する７本の素線１０２ａは、図３に示すように、ワイヤーバレル部１０の内部において圧着方向Ｚに２段状となり、バレル底部１１やワイヤーバレル片１２との間に隙間のない、安定した状態で圧着される。
【００３８】
詳しくは、導体１０２の細線化に伴い、強度を確保するために、合金化などにより、上述したような引張り強度の高い素線１０２ａを用いることが多く、ワイヤーバレル部１０を構成する純銅製部材と比較して導体１０２が硬くなり、従来の圧着技術では安定して圧着させることが困難であったが、クリンプ幅Ｗが上記の数式（１）を満足するように設定することにより、ワイヤーバレル部１０の内部で素線１０２ａが圧着方向Ｚに２段に配列した安定圧着配置で圧着される。
【００３９】
このような圧着方向Ｚに２段に配列される安定圧着配置で圧着されることで、圧着条件が安定し、最適な機械接続性と電気接続性を得ることができる。  
逆に、クリンプ幅Ｗを数式（１）の範囲より小さく設定すると、図４（ａ）に示すように、素線１０２ａが部分的に３段状になり、不安定圧着状態となる。  
また、クリンプ幅Ｗを数式（１）の範囲より大きく設定すると、図４（ｂ）に示すように、ワイヤーバレル部１０内で素線１０２ａがほぼ１段になり、不安定圧着状態となる。
【００４０】
また、素線１０２ａが３段になるように設定すると、素線１０２ａの数が３〜９の範囲の導体１０２ではアスペクト比（圧着前）が縦長になって、ワイヤーバレル片１２の先端同士が突き当て状態になりやすい。この場合、ワイヤーバレル片１２がうまくカールせず下に食い込みにくいので、ワイヤーバレル片１２の内側や外側の側面が座屈して、座屈シワ１２ａが入り、強度が保てなくなる。
【００４１】
さらにまた、素線１０２ａが１段になるように設定すると、量産時に管理できるのは圧着高さだけであるため、圧着時の圧着高さの許容範囲が狭くなり、工程管理が困難となる。  
このようにして、上述の理由により、素線１０２ａが３段や１段になると、圧着時の荷重が安定せず工程管理がしにくくなり、安定した圧着状態を確保することは困難となる。
【００４２】
なお、素線１０２ａが圧着方向Ｚの２段状の安定圧着配置となるクリンプ幅Ｗの下限値を示す上記の数式（１）の左辺第１項は、ｎ本の素線１０２ａを束ね、導体１０２の総断面積が断面積Ｓとなるときのｎ／２本の素線１０２ａが並ぶ幅（素線１０２ａの直径をｄとしたとき、ｎｄ／２）を示している。左辺第２項は左右のワイヤーバレル片１２の厚さの合計を示している。
【００４３】
なお、素線１０２ａが２段状の安定圧着配置となるクリンプ幅Ｗの上限値を示す上記の数式（１）の右辺は、少なくともワイヤーバレル片１２の厚みが圧着によって最大１．５倍程度になることに基づき、右辺第１項が左辺に対して１．５倍に設定されている。さらに右辺第２項は圧着による増加するワイヤーバレル片１２の厚み分の合計を示している。
【００４４】
このように、圧着状態において、クリンプ幅Ｗが上記数式（１）を満足するようにワイヤーバレル部１０を設定したことによって、素線１０２ａは圧着方向Ｚに２段状となる安定圧着配置となり、安定した圧着状態を構成することができる。したがって、安定した機械接続性及び電気接続性を確保した接続状態を実現することができる。
【００４５】
次に、このような安定した機械接続性及び電気接続性を確保した接続状態を実現することができる上記数式（１）についての確認試験について説明する。  
この確認試験は、直径ｄが０．１２ｍｍの素線１０２ａを７本束ねて断面積Ｓが０．０８ｍｍ２の導体１０２を形成し、クリンプ幅Ｗとワイヤーバレル片１２の板厚ｔとをパラメータとするワイヤーバレル部１０で、上記導体１０２を圧着した際の圧着状態を確認している。
【００４６】
この確認試験の結果である、以下の表１において判定結果を示す“×”は素線１０２ａが圧着方向Ｚに３段状、或いはほぼ１列に並んだ不安定圧着状態となること示し、“△”はところどころ乱れはあるもののほぼ素線１０２ａが圧着方向Ｚに２段状に配置されたことを示し、“○”は素線１０２ａがほぼ圧着方向Ｚに２段状に配置されたことを示している。
【００４７】
なお、表中左側の“×”は素線１０２ａが一列状に並んだ不安定圧着となり、表中右側の“×”は素線１０２ａが圧着方向Ｚに３段状に配置された不安定圧着となっている。また、本確認試験において、上記判定結果のうち“○”及び“△”を安定圧着状態と判定している。
【００４８】
【表１】
2009245698.tif 000005
上記表１からも、圧着する導体１０２及びワイヤーバレル片１２の板厚ｔに応じた適切なクリンプ幅Ｗの範囲が存在し、その範囲を超えたクリンプ幅Ｗの場合、素線１０２ａが不安定圧着状態となることが確認できた。  
また、上記数式（１）は、上記表１中、“○”及び“△”で示される適切なクリンプ幅Ｗの範囲を算出することが確認できた。
【００４９】
したがって、ワイヤーバレル部１０をクリンプ幅Ｗが上記数式（１）を満足するよう設定することによって、ワイヤーバレル部１０の内部で素線１０２ａが圧着方向Ｚに２段状の安定圧着配置となる安定した機械接続性及び電気接続性がともに高い圧着を実現できる圧着端子１を得ることができる。
【００５０】
なお、本実施例において、引張り強度が圧着端子１を構成するコルソン系銅合金製の板材の引張り強度以上の１０００ＭＰａであり、直径ｄが０．１２ｍｍの素線１０２ａを７本束ねた断面積Ｓが０．０８ｍｍ２の導体１０２を形成したが、３〜９本の素線１０２ａを束ね、断面積Ｓが０．６ｍｍ２以下となるように導体１０２を構成すればよく、導体１０２の断面積Ｓが０．１２ｍｍ２以下である場合、上記効果がより高くなる。
【００５１】
また、導体１０２を構成する素線１０２ａの本数は、上記７本を含む、６乃至９本である場合、細径の導体部分として屈曲性が確保でき、より望ましい。  
また、バレル底部１１に幅方向の溝形状で形成した幅方向のセレーションを長手方向に所定間隔を隔てて複数配置してもよい。
【００５２】
この発明の構成と、上述の実施形態との対応において、
この発明の導体部分は、導体１０２に対応し、
以下同様に、
圧着底面は、バレル底部１１に対応し、
圧着片は、ワイヤーバレル片１２に対応し、
圧着部は、ワイヤーバレル部１０に対応し、
素線は、素線１０２ａに対応するも、
この発明は、上述の実施形態の構成のみに限定されるものではなく、多くの実施の形態を得ることができる。
【図面の簡単な説明】
【００５３】
【図１】圧着端子の斜視図による説明図。
【図２】ワイヤーバレル部の圧着方法を説明する説明図。
【図３】ワイヤーバレル部の幅方向断面図による説明図。
【図４】不安定圧着状態のワイヤーバレル部の幅方向断面図による説明図。
【符号の説明】
【００５４】
１…圧着端子
１０…ワイヤーバレル部
１１…バレル底部
１２…ワイヤーバレル片
１００…被覆電線
１０２…導体
１０２ａ…素線
Ｓ…断面積
Ｗ…クリンプ幅
Ｙ…幅方向
Ｚ…圧着方向
【図１】
2009245698.tif 000008
【図２】
2009245698.tif 000009
【図３】
2009245698.tif 000010
【図４】
2009245698.tif 000011